(57)【要約】【課題】従来と比して格段と簡易な構成でかつ容易に、送信装置からの送信データを受信装置へ光空間伝送し得るようにする。【解決手段】パーソナルコンピュータ２からの音楽データＤ２をヘッドフォン３へ光空間伝送する光空間伝送システム１において、パーソナルコンピュータ２は、光を発して映像を表示する液晶ディスプレイ４を有し、当該液晶ディスプレイ４から発せられる光（つまり、光信号Ｓ３に相当する）によって音楽データＤ２をヘッドフォン３へ光空間伝送するようにした。これにより、パーソナルコンピュータ２に対して光空間伝送用の発光装置を接続しなくても、パーソナルコンピュータ２からの音楽データＤ２をヘッドフォン３へ光空間伝送することができる。【選択図】        図１
2004328632.tif 000002
【特許請求の範囲】
【請求項１】
送信信号に基づいて表示制御信号を変調する変調手段と、
光信号を発して画像を表示する表示手段と、
変調された上記表示制御信号に基づいて上記表示手段を制御する表示制御手段と
を具える送信装置と、
上記送信装置から送信されてくる上記光信号を受信する受信手段
を具える受信装置と
からなることを特徴とする光信号送受信システム。
【請求項２】
上記送信装置は、
変調された上記表示制御信号を上記表示手段に電力として供給する供給手段
を具え、上記表示手段は上記供給手段からの上記電力によって上記光信号を発し、
上記受信装置は、
上記表示手段からの上記光信号を受光して電気信号に変換する変換手段と、
上記変換手段の変換結果として得られた上記電気信号に対して所定の復調処理を行うことにより上記送信信号を得る復調手段と
を具えることを特徴とする請求項１に記載の光信号送受信システム。
【請求項３】
上記表示手段は、
上記光信号を発する発光手段と、当該発光手段からの上記光信号によって上記画像を表示する液晶パネルとを具える
ことを特徴とする請求項１に記載の光信号送受信システム。
【請求項４】
送信信号に基づいて表示制御信号を変調する変調手段と、
光信号を発して画像を表示する表示手段と、
変調された上記表示制御信号に基づいて上記表示手段を制御する表示制御手段と
を具えることを特徴とする送信装置。
【請求項５】
送信信号に基づいて表示制御信号を変調し、
上記変調された上記表示制御信号に基づいて表示手段を制御することにより光信号を発光して画像を表示する
ことを特徴とする光信号送信方法。
【請求項６】
送信信号に基づいて表示制御信号を変調し、
上記変調された上記表示制御信号に基づいて表示手段を制御することにより光信号を発光して画像を表示し、
上記光信号を受信し、
受信した上記光信号から上記送信信号を復調する
こと特徴とする光信号送受信方法。
【発明の詳細な説明】
【０００１】
【発明の属する技術分野】
本発明は光信号送受信システムに関し、例えば、送信装置からの送信データを受信装置へ光空間伝送する光空間伝送システムに適用して好適なものである。
【０００２】
【従来の技術】
従来、送信装置からの送信データを受信装置へ伝送する一手法として、例えば光（つまり光信号）によって当該送信データを光空間伝送する方法がある。この一例として、パーソナルコンピュータからの印刷データをプリンタへ光空間伝送する光空間伝送システムが提案されている（例えば、特許文献１参照）。
【０００３】
【特許文献１】
特開２００２−２９０３３５公報（図１）
【０００４】
【発明が解決しようとする課題】
実際上、かかる光空間伝送システムにおいては、パーソナルコンピュータからの印刷データが光空間伝送用の発光装置へ一旦送出された後、この発光装置から印刷データに基づく光が放出され、この光がプリンタによって受光されることにより、当該印刷データの光空間伝送が実現されている。
【０００５】
従ってこの光空間伝送システムでは、光空間伝送用の発光装置を事前に用意して、この発光装置をパーソナルコンピュータに接続しておく作業が必要であり、このような煩雑な作業を経なければ、印刷データをプリンタへ光空間伝送することができないという問題があった。
【０００６】
本発明は以上の点を考慮してなされたもので、従来と比して格段と簡易な構成でかつ容易に、送信装置からの送信データを受信装置へ光空間伝送し得る光信号送受信システムを提案しようとするものである。
【０００７】
【課題を解決するための手段】
かかる課題を解決するために本発明においては、送信信号に基づいて表示制御信号を変調する変調手段と、光信号を発して画像を表示する表示手段と、変調された表示制御信号に基づいて表示手段を制御する表示制御手段とを備える送信装置と、送信装置から送信されてくる光信号を受信する受信手段を備える受信装置とを設けるようにした。この結果、送信装置に対して光空間伝送用の発光装置を接続しなくても、送信装置からの送信信号を受信装置へ光空間伝送することができる。
【０００８】
【発明の実施の形態】
以下図面について、本発明の一実施の形態を詳述する。
【０００９】
（１）光空間伝送システムの全体構成
図１において、１は全体として光空間伝送システムを示し、ＤＶＤ（Ｄｉｇｉｔａｌ  Ｖｅｒｓａｔｉｌｅ  Ｄｉｓｃ）を再生するためのＤＶＤドライブ（図示せず）が内蔵されているパーソナルコンピュータ２と、ユーザの頭部に装着されて使用されるヘッドフォン３とによって構成されている。
【００１０】
パーソナルコンピュータ２は、例えば映画の映像データ及び音楽データが記録されているＤＶＤがＤＶＤドライブに挿入されたことを認識すると、当該映像データに基づく映像を液晶ディスプレイ４に表示すると共に、この液晶ディスプレイ４に表示中の映像と同期した音楽データをヘッドフォン３へ光空間伝送する。
【００１１】
このときヘッドフォン３は、パーソナルコンピュータ２から光空間伝送されてきた音楽データに基づいて音楽を出力する。これにより、ヘッドフォン３を装着しているユーザは、液晶ディスプレイ４に表示されている映画の映像を目視しながら、ヘッドフォン３を介してこの映像に対応する音楽を聞くことができる。
【００１２】
（２）パーソナルコンピュータの構成
ところで、図２にも併せて示すようにパーソナルコンピュータ２は、ＤＶＤドライブが内蔵されている本体部５を有する。この本体部５は、映画の映像データＤ１及び音楽データＤ２が記録されているＤＶＤがＤＶＤドライブに挿入されたことを認識すると、この映像データＤ１及び音楽データＤ２をそれぞれ液晶ディスプレイ４へ送出するようになされている。
【００１３】
この液晶ディスプレイ４は、バックライト６及び液晶パネル７を有しており、当該液晶パネル７は、バックライト６から光が発せられると、この光を裏面側から受けることによって、本体部５からの映像データＤ１に基づく映像を表面側に表示する。
【００１４】
一方、バックライト６は、図３に示すように変調回路６Ａ及び発光回路６Ｂを有している。この変調回路６Ａは、本体部５からの音楽データＤ２に基づいて所定の変調処理を行うことにより、当該音楽データＤ２の内容を、所定電源から電力として供給されている電気信号Ｓ１に重畳し、この結果得られた電気信号（以下、これを変調電気信号と呼ぶ）Ｓ２を発光回路６Ｂへ送出する。
【００１５】
因みにこの変調回路６Ａは、当該変調電気信号Ｓ２の周波数成分が所定の周波数以上（例えば、５０〔Ｈｚ〕以上）になるように変調処理を行うようになされている。
【００１６】
なお本実施の形態の場合、上述の所定電源は、例えばパーソナルコンピュータが設置されている家屋内の商用電源に相当し、変調回路６Ａに対しては直流変換された後の電力が供給されるようになされている。
【００１７】
発光回路６Ｂは、変調回路６Ａから変調電気信号Ｓ２が入力されると、この変調電気信号Ｓ２に基づく光信号Ｓ３を液晶パネル７への光として発する。この結果、液晶パネル７には映像データＤ１に基づく映像が表示されると共に、図１に示すように、液晶ディスプレイ４から外部に向ってかかる光信号Ｓ３が放出される。
【００１８】
ここで、変調回路６Ａ及び発光回路６Ｂについて、図４を用いて詳述する。すなわち変調回路６Ａにおいては、本体部５からの音楽データＤ２を前処理回路６Ａ１へ入力した後、この前処理回路６Ａ１によって音楽データＤ２に対する一次変調（例えば、ＦＭ（Ｆｒｅｑｕｅｎｃｙ  Ｍｏｄｕｌａｔｉｏｎ）方式）を施し、これにより当該音楽データＤ２の内容に応じた信号（以下、これを音楽信号と呼ぶ）ＳＤ２を生成する。そして変調回路６Ａにおいては、前処理回路６Ａ１によって生成した音楽信号ＳＤ２を、増幅器６Ａ２及びコンデンサ６Ａ３を順次通過させた後、二次変調を施すことによって所定電源からの電気信号Ｓ１に重畳し、この結果得られた変調電気信号Ｓ２を発光回路６Ｂへ送出する。
【００１９】
一方、発光回路６Ｂは、変調回路６Ａからの変調電気信号Ｓ２を白色ＬＥＤ（Ｌｉｇｈｔ  Ｅｍｉｔｔｉｎｇ  Ｄｉｏｄｅ）６Ｂ１へ入力し、これにより当該白色ＬＥＤ６Ｂ１から変調電気信号Ｓ２に基づく光信号Ｓ３を液晶パネル７への光として発光する。
【００２０】
（３）ヘッドフォンの構成
図１に示すようにヘッドフォン３の筐体には、例えば透過性のプラスチック等でなる光透過部材３Ａが配設されている。この光透過部材３Ａの直下には、光透過部材３Ａを透過してきた光を受光するための受光部８（図２）が配設されている。そしてこの受光部８に対しては、音楽を出力するためのスピーカ９が接続されている。
【００２１】
因みに本実施の形態においては、例えば図５に示すように、ヘッドフォン３がユーザの頭部に装着されたとき、当該ユーザの顔が向いている方向から到来する光（この場合、液晶ディスプレイ４からの光）を受光し得るように、光透過部材３Ａ及び受光部８の配設位置が選定されている。
【００２２】
受光部８は、例えば図６に示すように、受光回路８Ａ及び復調回路８Ｂを有する。この受光回路８Ａは、液晶ディスプレイ４から発せられた光（つまり、光信号Ｓ３）を光透過部材３Ａを介して受光すると、この光信号Ｓ３を光電変換することにより電気信号Ｓ４を生成し、これを復調回路８Ｂへ送出する。そして復調回路８Ｂは、この電気信号Ｓ４に対して復調処理を行い、この結果得られた音楽データＤ２をスピーカ９へ送出し、当該スピーカ９から音楽データＤ２に基づく音楽を出力させる。
【００２３】
ここで、受光回路８Ａ及び復調回路８Ｂについて、図７を用いて詳述する。すなわち受光回路８Ａにおいては、液晶ディスプレイ４から発せられた光信号Ｓ３をフォトダイオード８Ａ１で受光して電気信号Ｓ４に変換し、これを復調回路８Ｂへ送出する。
【００２４】
復調回路８Ｂにおいては、受光回路８Ａからの電気信号Ｓ４を、コンデンサ８Ｂ１を通過させた後、後処理回路８Ｂ２へ入力する。このとき後処理回路８Ｂ２では、その内部に設けられている図示しないフィルタ回路によって、かかる電気信号Ｓ４から所定の周波数成分（つまり、音楽信号ＳＤ２が重畳されている周波数成分）の電気信号Ｓ４のみを分離した後所定の復調処理（この場合、ＦＭ方式）を行うことによって、音楽データＤ２を得るようになされている。
【００２５】
（４）動作及び効果
以上の構成において、パーソナルコンピュータ２の本体部５は、ＤＶＤドライブに対してＤＶＤが挿入されると、当該ＤＶＤに記録されている映像データＤ１及び音楽データＤ２を液晶ディスプレイ４に送出する。
【００２６】
このとき液晶ディスプレイ４において、バックライト６（図２）は、かかる音楽データＤ２に基づく光信号Ｓ３を液晶パネル７への光として発することにより、当該液晶パネル７に映像データＤ１に基づく映像を表示させながら、液晶ディスプレイ４の外部に向ってかかる光信号Ｓ３を放出する。
【００２７】
ヘッドフォン３は、液晶ディスプレイ４からの光信号Ｓ３を受光してこれを電気信号Ｓ４へ変換した後、この電気信号Ｓ４に対する復調処理を行って音楽データＤ２を生成し、これに基づく音楽をスピーカ９から出力する。
【００２８】
このようにして、このパーソナルコンピュータ２の液晶ディスプレイ４は、光を発して映像データＤ１に基づく映像を表示しつつ、当該光によって音楽データＤ２をヘッドフォン３へ光空間伝送することができる。
【００２９】
以上の構成によれば、パーソナルコンピュータ２からの音楽データＤ２をヘッドフォン３へ光空間伝送する光空間伝送システム１において、パーソナルコンピュータ２は、光を発して映像を表示する液晶ディスプレイ４を有し、当該液晶ディスプレイ４から発せられる光（つまり、光信号Ｓ３に相当する）によって音楽データＤ２をヘッドフォン３へ光空間伝送する。これにより、この光空間伝送システム１では、光空間伝送用の発光装置等を別途用意しなくて良い。
【００３０】
この結果、従来と比して格段と簡易な構成でかつ格段と容易に、パーソナルコンピュータ２からの音楽データＤ２をヘッドフォン３へ光空間伝送する光空間伝送システム１を実現することができる。
【００３１】
なお本実施の形態においては、ヘッドフォン３がユーザの頭部に装着されたとき、当該ユーザの顔が向いている方向から到来する光を受光し得るように、光透過部材３Ａ及び受光部８の配設位置を選定するようにした。従って図５に示すように、ユーザがヘッドフォン３を装着し、液晶ディスプレイ４に顔を向けて、当該液晶ディスプレイ４に表示中の映像を目視すると、このヘッドフォン３は、液晶ディスプレイ４から発せられた光を確実に受光することができる。この結果、このヘッドフォン３を装着しているユーザは、液晶ディスプレイ４に表示している映像を目視しながら、当該映像に対応する音楽を確実に聞くことができる。
【００３２】
また本実施の形態において、発光回路６Ｂ（図３）は５０〔Ｈｚ〕以上の周波数成分からなる変調電気信号Ｓ２に基づいて光を発し、この光を液晶ディスプレイ４の外部へ放出するようにした。これにより、液晶ディスプレイ４を目視するユーザに対して、当該光によるちらつきを感じさせてしまうことを防止することができる。
【００３３】
（５）他の実施の形態
なお上述の実施の形態においては、前処理回路６Ａ１（図４）における一次変調としてＦＭ方式を採用する場合について述べたが、本発明はこれに限らず、例えば、ＡＭ（Ａｍｐｌｉｔｕｄｅ  Ｍｏｄｕｌａｔｉｏｎ）、ＡＳＫ（Ａｍｐｌｉｔｕｄｅ  Ｓｈｉｆｔ  Ｋｅｙｉｎｇ）、ＦＳＫ（Ｆｒｅｑｕｅｎｃｙ  Ｓｈｉｆｔ  Ｋｅｙｉｎｇ）、ＰＳＫ（Ｐｈａｓｅ  Ｓｈｉｆｔ  Ｋｅｙｉｎｇ）、ＱＡＭ（Ｑｕａｄｒａｔｕｒｅ  Ａｍｐｌｉｔｕｄｅ  Ｍｏｄｕｌａｔｉｏｎ）等のこの他種々の変調方式を適用するようにしても良い。またこの前処理回路６Ａ１によって、スクランブル処理や暗号化処理等、音楽データＤ２に対するこの他種々の処理を実行するようにしても良い。この場合、ヘッドフォン３では、例えば後処理回路８Ｂ２（図７）によって、前処理回路６Ａ１における変調処理に対応した復調処理を実行したり、かかるスクランブル処理に対応するデスクランブル処理やかかる暗号化処理に対応する復号化処理を実行するようにすれば、パーソナルコンピュータ２からの音楽データＤ２を得ることができる。
【００３４】
また上述の実施の形態においては、例えば発光回路６Ｂ（図４）の発光素子として白色ＬＥＤ６Ｂ１を適用する場合について述べたが、本発明はこれに限らず、例えば、赤、緑、青の３原色ＬＥＤを用いて波長混合することにより白色の光を発するようにしても良い。この場合、例えば、３原色ＬＥＤから発せられる光のそれぞれに対して、種類の異なる音楽データをそれぞれ重畳させることができるので、この結果、パーソナルコンピュータ２は、液晶ディスプレイ４から発せられる光によって、複数種類の音楽データを同時に、或いは、より情報量の大きな音楽データを光空間伝送することができる。
【００３５】
さらに上述の実施の形態においては、バックライト６と、当該バックライト６からの光を裏面側から受けて表面側に映像を表示する液晶パネル７とからなる液晶ディスプレイ４を表示手段として適用し、当該液晶ディスプレイ４からの光によって音楽データＤ２を光空間伝送する場合について述べたが、本発明はこれに限らず、画像を表示し得るこの他種々の表示装置を、表示手段として適用するようにしても良い。
【００３６】
このような表示装置としては、例えば図８に示すように、フロントライト３０からの光を液晶パネル３１の表面側へ照射して、当該液晶パネル３１に映像を表示するようになされた反射型液晶ディスプレイ３２であっても良く、当該反射型液晶ディスプレイ３２からの光によって音楽データＤ２を光空間伝送するようにしても良い。また、自己発光する素子（以下、これを自己発光素子と呼ぶ）を有するＦＥＤ（Ｆｉｅｌｄ  Ｅｍｉｓｓｉｏｎ  Ｄｉｓｐｌａｙ）やＥＬ（Ｅｌｅｃｔｒｏ  Ｌｕｍｉｎｅｓｃｅｎｃｅ）、ＬＥＤディスプレイ等であっても良く、この自己発光素子からの光によって音楽データＤ２を光空間伝送するようにしても良い。さらに、ＣＲＴ（Ｃａｔｈｏｄｅ  Ｒａｙ  Ｔｕｂｅ）やプラズマディスプレイ等であっても良い。
【００３７】
さらに上述の実施の形態では、受信装置としてのヘッドフォン３への音楽データＤ２を当該ヘッドフォン３へ光空間伝送する送信装置として、パーソナルコンピュータ２を適用する場合について述べたが、本発明はこれに限らず、上述したような表示装置を有していれば、ノート型パーソナルコンピュータ、携帯電話機、ＰＤＡ（Ｐｅｒｓｏｎａｌ  Ｄｉｇｉｔａｌ  Ａｓｓｉｓｔａｎｃｅ）、液晶テレビジョン、ディジタルスチルカメラ、ディジタルビデオカメラ等、この他種々の電子機器を適用するようにしても良い。
【００３８】
さらに上述の実施の形態では、送信装置からの送信データとして音楽データＤ２を適用する場合について述べたが、本発明はこれに限らず、例えば、映像データやプログラム等のこの他種々のデータを適用するようにしても良い。
【００３９】
さらに上述の実施の形態では、表示手段によって表示する画像として、映像データＤ１に基づく映像を適用した場合について述べたが、本発明はこれに限らず、例えば、静止画像等を適用するようにしても良い。
【００４０】
さらに上述の実施の形態では、送信データに基づいて所定の変調処理を行うことにより得られた電気信号Ｓ２を表示手段に電力として供給する供給手段として、変調回路６Ａを適用する場合について述べたが、本発明はこれに限らず、この他種々の構成を適用しても良い。
【００４１】
さらに上述の実施の形態では、表示手段からの光を受光して電気信号Ｓ４に変換する変換手段として、フォトダイオード８Ａ１を適用する場合について述べたが、本発明はこれに限らず、この他種々の構成を適用するようにしても良い。
【００４２】
さらに上述の実施の形態では、変換手段の変換結果として得られた電気信号Ｓ４に対して所定の復調処理を行うことにより送信データを得る復調手段として、復調回路８Ｂを適用する場合について述べたが、本発明はこれに限らず、この他種々の構成を適用するようにしても良い。
【００４３】
【発明の効果】
上述のように本発明によれば、送信信号に基づいて表示制御信号を変調する変調手段と、光信号を発して画像を表示する表示手段と、変調された表示制御信号に基づいて表示手段を制御する表示制御手段とを備える送信装置と、送信装置から送信されてくる光信号を受信する受信手段を備える受信装置とを設けるようにしたので、送信装置に対して光空間伝送用の発光装置を接続しなくても、送信装置からの送信データを受信装置へ光空間伝送することができる。この結果、従来と比して格段と簡易な構成でかつ容易に、送信装置からの送信データを受信装置へ光空間伝送することができる。
【図面の簡単な説明】
【図１】本実施の形態における光空間伝送システムの全体構成を示す略線図である。
【図２】パーソナルコンピュータ及びヘッドフォンの構成を示す略線図である。
【図３】バックライトの構成を示す略線図である。
【図４】変調回路及び発光回路の構成を示す略線図である。
【図５】視聴する様子を示す略線図である。
【図６】受光部の構成を示す略線図である。
【図７】受光回路及び復調回路の構成を示す略線図である。
【図８】他の実施の形態を示す略線図である。
【符号の説明】
１……光空間伝送システム、２……パーソナルコンピュータ、３……ヘッドフォン、４……液晶ディスプレイ、６……バックライト、６Ａ……変調回路、６Ｂ発光回路、７……液晶パネル、８……受光部、８Ａ……受光回路、８Ｂ……復調回路。
【図１】
2004328632.tif 000003
【図２】
2004328632.tif 000004
【図３】
2004328632.tif 000005
【図４】
2004328632.tif 000006
【図５】
2004328632.tif 000007
【図６】
2004328632.tif 000008
【図７】
2004328632.tif 000009
【図８】
2004328632.tif 000010